【事件の表示】
　特許第３１３８６８１号「映像表示装置及び映像表示装置の表示調整方法」の請求項１ないし８に係る特許に対する特許異議の申立てについて、次のとおり決定する。
【結　論】
　訂正を認める。
　特許第３１３８６８１号の請求項１ないし６に係る特許を維持する。
【理　由】
１．手続の経緯
　特許第３１３８６８１号は、平成１０年３月３０日に特許出願され、平成１２年１２月８日に特許権の設定登録がされた。その後、異議申立人足立信幸により特許異議の申立てがされ、取消理由が通知され、その指定期間内である平成１４年２月１９日に訂正請求が請求されている。
　
２．訂正の適否についての判断
２−１．訂正の内容
　平成１４年２月１９日付訂正請求書による訂正の内容は次のとおりである。
ア．特許請求の範囲の請求項１を削除する。
イ．特許請求の範囲の請求項２を「供給される映像信号の表示状態を最適調整して表示する映像表示装置において、
前記映像表示装置の電源が投入された場合，前記映像信号の同期信号が変更された場合，又は前記映像表示装置の筐体の設置位置が変更された場合には、前記映像信号の表示状態の調整を開始する制御手段と、
前記制御手段の調整結果に応じて、前記映像信号を表示する表示手段とを具備し、
前記制御手段は、前記同期信号が供給されていない間は、前記映像信号の表示状態の調整を開始せず、
さらに、前記制御手段は、前記同期信号の変更を、
前記同期信号の周期中に計数される、前記同期信号の周波数より少なくとも１０倍以上高い周波数である基準クロック信号のパルス数が変化したことにより検出することを特徴とする映像表示装置。」と訂正し、新たな請求項１とする。
ウ．特許請求の範囲の請求項３を「供給される映像信号の表示状態を最適調整して表示する映像表示装置において、
前記映像表示装置の電源が投入された場合，前記映像信号の同期信号が変更された場合，又は前記映像表示装置の筐体の設置位置が変更された場合には、前記映像信号の表示状態の調整を開始する制御手段と、
前記制御手段の調整結果に応じて、前記映像信号を表示する表示手段とを具備し、
前記制御手段は、前記同期信号が供給されていない間は、前記映像信号の表示状態の調整を開始せず、
さらに、前記制御手段は、前記同期信号の変更を、
前記同期信号のうち垂直同期信号の立上り時点又は立下り時点から、前記同期信号のうち水平同期信号の立上り時点又は立下り時点迄の期間長の周期変化の有無が変化したことにより検出することを特徴とする映像表示装置。」と訂正し、新たな請求項２とする。
エ．特許請求の範囲の請求項４を「供給される映像信号の表示状態を最適調整して表示する映像表示装置において、
前記映像表示装置の電源が投入された場合，前記映像信号の同期信号が変更された場合，又は前記映像表示装置の筐体の設置位置が変更された場合には、前記映像信号の表示状態の調整を開始する制御手段と、
前記制御手段の調整結果に応じて、前記映像信号を表示する表示手段とを具備し、
前記制御手段は、前記同期信号が供給されていない間は、前記映像信号の表示状態の調整を開始せず、
さらに、前記制御手段は、前記同期信号の変更を、
前記同期信号の立上り時点又は立下り時点から、前記映像信号の表示期間の開始時点又は終了時点迄の期間長が変化したことにより検出することを特徴とする映像表示装置。」と訂正し、新たな請求項３とする。
オ．特許請求の範囲の請求項５を削除する。
カ．特許請求の範囲の請求項６を「供給される映像信号の表示状態を最適調整して表示する映像表示装置の表示調整方法において、
前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
さらに、前記同期信号の変更は、
前記同期信号の周期中に計数される、前記同期信号の周波数より少なくとも１０倍以上高い周波数である基準クロック信号のパルス数が変化したことにより検出されることを特徴とする映像表示装置の表示調整方法。」と訂正し、新たな請求項４とする。
キ．特許請求の範囲の請求項７を「供給される映像信号の表示状態を最適調整して表示する映像表示装置の表示調整方法において、
前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
さらに、前記同期信号の変更は、
前記同期信号のうち垂直同期信号の立上り時点又は立下り時点から、前記同期信号のうち水平同期信号の立上り時点又は立下り時点迄の期間長の周期変化の有無が変化したことにより検出されることを特徴とする映像表示装置の表示調整方法。」と訂正し、新たな請求項５とする。
ク．特許請求の範囲の請求項８を「供給される映像信号の表示状態を最適調整して表示する映像表示装置の表示調整方法において、
前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
さらに、前記同期信号の変更は、
前記同期信号の立上り時点又は立下り時点から、前記映像信号の表示期間の開始時点又は終了時点迄の期間長が変化したことにより検出されることを特徴とする映像表示装置の表示調整方法。」と訂正し、新たな請求項６とする。
ケ．発明の詳細な説明の段落【００３７】を次のように訂正する。
「本発明の映像表示装置の特徴は、供給される映像信号（図１のＳｖ）の表示状態を最適調整して表示する映像表示装置（１０２）において、映像表示装置（１０２）の電源が投入された場合，映像信号（Ｓｖ）の同期信号（Ｈｓｙ，Ｖｓｙ）が変更された場合，映像表示装置（１０２）の筐体（１１３）の設置位置が変更された場合には、映像信号（Ｓｖ）の表示状態の調整を開始する制御手段（１０３〜１０９）と、制御手段（１０９）の調整結果に応じて、映像信号（Ｓｖ）を表示する表示手段（１１０〜１１２）とを具備し、制御手段（１０９）は、同期信号（Ｈｓｙ，Ｖｓｙ）が供給されていない間は、映像信号（Ｓｖ）の表示状態の調整を開始せず、さらに、制御手段（１０３〜１０５，１０９）は、同期信号（Ｈｓｙ，Ｖｓｙ）の変更を、以下により検出する。(1)同期信号（Ｈｓｙ，Ｖｓｙ）の周期中に計数される、同期信号（Ｈｓｙ，Ｖｓｙ）の周波数より少なくとも１０倍以上高い周波数である基準クロック信号（φｈ，φｖ）のパルス数が変化したことにより検出する。(2)同期信号（Ｈｓｙ，Ｖｓｙ）のうち垂直同期信号（Ｖｓｙ）の立上り時点又は立下り時点から、同期信号（Ｈｓｙ，Ｖｓｙ）のうち水平同期信号（Ｈｓｙ）の立上り又は立下り時点迄の期間長の周期変化の有無が変化したことにより検出する。(3)同期信号（Ｈｓｙ，Ｖｓｙ）の立上り時点又は立下り時点から、映像信号（Ｓｖ）の表示期間の開始時点又は終了時点迄の期間長が変化したことにより検出する。」
コ．発明の詳細な説明の段落【００３８】を次のように訂正する。
「本発明の映像表示装置の表示調整方法の特徴は、供給される映像信号（図１のＳｖ）の表示状態を最適調整して表示する映像表示装置（１０２）において、映像表示装置（１０２）の電源が投入された場合，映像信号（Ｓｖ）の同期信号（Ｈｓｙ，Ｖｓｙ）が変更された場合，又は映像表示装置（１０２）の筐体（１１３）の設置位置が変更された場合には、映像信号（Ｓｖ）の表示状態の調整を開始し、同期信号（Ｈｓｙ，Ｖｓｙ）が供給されていない間は、映像信号（Ｓｖ）の表示状態の調整を開始せず、さらに、同期信号（Ｈｓｙ，Ｖｓｙ）の変更は、以下により検出される。(1)同期信号（Ｈｓｙ，Ｖｓｙ）の周期中に計数される、同期信号（Ｈｓｙ，Ｖｓｙ）の周波数より少なくとも１０倍以上高い周波数である基準クロック信号（φｈ，φｖ）のパルス数が変化したことにより検出される。(2)同期信号（Ｈｓｙ，Ｖｓｙ）のうち垂直同期信号（Ｖｓｙ）の立上り時点又は立下り時点から、同期信号（Ｈｓｙ，Ｖｓｙ）のうち水平同期信号（Ｈｓｙ）の立上り又は立下り時点迄の期間長の周期変化の有無が変化したことにより検出される。(3)同期信号（Ｈｓｙ，Ｖｓｙ）の立上り時点又は立下り時点から、映像信号（Ｓｖ）の表示期間の開始時点又は終了時点迄の期間長が変化したことにより検出される。」
サ．発明の詳細な説明の段落【００８８】を次のように訂正する。
「又、インターレース／ノンインターレースの走査種別や、映像信号の表示開始位置の情報も併せて検出し、前記同期信号の立上り時点又は立下り時点から、前記映像信号の表示期間の開始時点又は終了時点迄の期間長が変化したことにより、同期信号の変更を検出するので、一層高精度に信号源の接続変更の有無を検出できる。」
　
２−２．訂正の目的の適否、新規事項の有無及び特許請求の範囲の拡張・変更の存否
　上記訂正事項アは請求項１を削除するものであるから、特許請求の範囲の減縮を目的とするもので、新規事項の追加には該当せず、実質上特許請求の範囲を拡張又は変更するものではない。
　
　上記訂正事項イは、請求項１を引用して記載していた請求項２を請求項１の削除に伴って独立形式で記載し、項の番号を繰り上げたものであるから、明りょうでない記載の釈明を目的とするものであり、新規事項の追加には該当せず、実質上特許請求の範囲を拡張又は変更するものではない。
　
　上記訂正事項ウは、請求項１を引用して記載していた請求項３を請求項１の削除に伴って独立形式で記載し、項の番号を繰り上げたものであるから、明りょうでない記載の釈明を目的とするものであり、新規事項の追加には該当せず、実質上特許請求の範囲を拡張又は変更するものではない。
　
　上記訂正事項エは、請求項１を引用して記載していた請求項４を請求項１の削除に伴って独立形式で記載し、項の番号を繰り上げたものであるから、明りょうでない記載の釈明を目的とするものであり、新規事項の追加には該当せず、実質上特許請求の範囲を拡張又は変更するものではない。
　
　上記訂正事項オは請求項５を削除するものであるから、特許請求の範囲の減縮を目的とするもので、新規事項の追加には該当せず、実質上特許請求の範囲を拡張又は変更するものではない。
　
　上記訂正事項カは、請求項５を引用して記載していた請求項６を請求項５の削除に伴って独立形式で記載し、項の番号を繰り上げたものであるから、明りょうでない記載の釈明を目的とするものであり、新規事項の追加には該当せず、実質上特許請求の範囲を拡張又は変更するものではない。
　
　上記訂正事項キは、請求項５を引用して記載していた請求項７を請求項５の削除に伴って独立形式で記載し、項の番号を繰り上げたものであるから、明りょうでない記載の釈明を目的とするものであり、新規事項の追加には該当せず、実質上特許請求の範囲を拡張又は変更するものではない。
　
　上記訂正事項クは、請求項５を引用して記載していた請求項８を請求項５の削除に伴って独立形式で記載し、項の番号を繰り上げたものであるから、明りょうでない記載の釈明を目的とするものであり、新規事項の追加には該当せず、実質上特許請求の範囲を拡張又は変更するものではない。
　
　上記訂正事項ケは、特許請求の範囲の請求項１の削除に伴って、発明の詳細な説明の［課題を解決するための手段］の欄に独立形式に変更された新たな請求項１〜３の構成を記載するものであるから、明りょうでない記載の釈明を目的とするものであり、新規事項の追加には該当せず、実質上特許請求の範囲を拡張又は変更するものでもない。
　
　上記訂正事項コは、特許請求の範囲の請求項５の削除に伴って、発明の詳細な説明の［課題を解決するための手段］の欄に独立形式に変更された新たな請求項４〜６の構成を記載するものであるから、明りょうでない記載の釈明を目的とするものであり、新規事項の追加には該当せず、実質上特許請求の範囲を拡張又は変更するものでもない。
　
　上記訂正事項サは、発明の詳細な説明に訂正後の新たな請求項３及び請求項６に係る発明の作用を記載するものであるから、明りょうでない記載の釈明を目的とするものであり、新規事項の追加には該当せず、実質上特許請求の範囲を拡張又は変更するものでもない。
　
２−３．むすび
　以上のとおりであるから、上記各訂正は、特許法第１２０条の４第２項、並びに同条第３項で準用する第１２６条第２項及び第３項の規定に適合しているので、訂正を認める。
　
３．特許異議申立てについて
３−１．異議申立て理由の概要
　特許第３１３８６８１号の請求項１及び請求項５に係る発明は、甲第１号証（特開平９−２１２１３２号公報、以下、「刊行物１」という）刊行物に記載された発明であるから、特許法第２９条第１項第３号の規定に違反して特許されたものであり、また、請求項２〜４及び請求項６〜８に係る発明は、前記甲第１号証、甲第２号証（特開平１０−３９８３８号公報、以下、「刊行物２」という）、甲第３号証（特開平９−１１４４４３号公報、以下、「刊行物３」という）、甲第４号証（特開平１−２００３９１号公報、以下、「刊行物４」という）及び甲第５号証（特開平７−４４１２５号公報、以下、「刊行物５」という）の刊行物に記載された発明に基づいて当業者が容易に発明をすることができたものであるから、特許法第２９条第２項の規定に違反して特許されたものであり、当該特許は取り消されるべきものである。
　
３−２．本件発明
　上記「２．訂正の適否についての判断」で示したように訂正が認められるから、本件特許の請求項１〜６に係る発明は、訂正明細書及び図面の記載によれば、訂正明細書の特許請求の範囲の請求項１〜６に記載された次の事項により特定されるものである。（以下、「本件発明１」〜「本件発明６」という。）
【請求項１】（本件発明１）
　供給される映像信号の表示状態を最適調整して表示する映像表示装置において、
前記映像表示装置の電源が投入された場合，前記映像信号の同期信号が変更された場合，又は前記映像表示装置の筐体の設置位置が変更された場合には、前記映像信号の表示状態の調整を開始する制御手段と、
　前記制御手段の調整結果に応じて、前記映像信号を表示する表示手段とを具備し、
　前記制御手段は、前記同期信号が供給されていない間は、前記映像信号の表示状態の調整を開始せず、
　さらに、前記制御手段は、前記同期信号の変更を、
　前記同期信号の周期中に計数される、前記同期信号の周波数より少なくとも１０倍以上高い周波数である基準クロック信号のパルス数が変化したことにより検出することを特徴とする映像表示装置。
【請求項２】（本件発明２）
　供給される映像信号の表示状態を最適調整して表示する映像表示装置において、
　前記映像表示装置の電源が投入された場合，前記映像信号の同期信号が変更された場合，又は前記映像表示装置の筐体の設置位置が変更された場合には、前記映像信号の表示状態の調整を開始する制御手段と、
　前記制御手段の調整結果に応じて、前記映像信号を表示する表示手段とを具備し、
　前記制御手段は、前記同期信号が供給されていない間は、前記映像信号の表示状態の調整を開始せず、
　さらに、前記制御手段は、前記同期信号の変更を、
　前記同期信号のうち垂直同期信号の立上り時点又は立下り時点から、前記同期信号のうち水平同期信号の立上り時点又は立下り時点迄の期間長の周期変化の有無が変化したことにより検出することを特徴とする映像表示装置。
【請求項３】（本件発明３）
　供給される映像信号の表示状態を最適調整して表示する映像表示装置において、
　前記映像表示装置の電源が投入された場合，前記映像信号の同期信号が変更された場合，又は前記映像表示装置の筐体の設置位置が変更された場合には、前記映像信号の表示状態の調整を開始する制御手段と、
　前記制御手段の調整結果に応じて、前記映像信号を表示する表示手段とを具備し、
　前記制御手段は、前記同期信号が供給されていない間は、前記映像信号の表示状態の調整を開始せず、
　さらに、前記制御手段は、前記同期信号の変更を、
　前記同期信号の立上り時点又は立下り時点から、前記映像信号の表示期間の開始時点又は終了時点迄の期間長が変化したことにより検出することを特徴とする映像表示装置。
【請求項４】（本件発明４）
　供給される映像信号の表示状態を最適調整して表示する映像表示装置の表示調整方法において、
　前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
　さらに、前記同期信号の変更は、
　前記同期信号の周期中に計数される、前記同期信号の周波数より少なくとも１０倍以上高い周波数である基準クロック信号のパルス数が変化したことにより検出されることを特徴とする映像表示装置の表示調整方法。
【請求項５】（本件発明５）
　供給される映像信号の表示状態を最適調整して表示する映像表示装置の表示調整方法において、
　前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
　さらに、前記同期信号の変更は、
　前記同期信号のうち垂直同期信号の立上り時点又は立下り時点から、前記同期信号のうち水平同期信号の立上り時点又は立下り時点迄の期間長の周期変化の有無が変化したことにより検出されることを特徴とする映像表示装置の表示調整方法。
【請求項６】（本件発明６）
　供給される映像信号の表示状態を最適調整して表示する映像表示装置の表示調整方法において、
　前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
　さらに、前記同期信号の変更は、
　前記同期信号の立上り時点又は立下り時点から、前記映像信号の表示期間の開始時点又は終了時点迄の期間長が変化したことにより検出されることを特徴とする映像表示装置の表示調整方法。
　
３−３．刊行物記載の発明
（１）刊行物１（特開平９−２１２１３２号公報、甲第１号証）
　刊行物１には、次の記載がある。
（ア）「図１は、この発明の実施の形態によるマトリックス液晶表示装置の概略ブロック図である。 図において、１は横１０２４画素（１０２４×３ドット）、縦７６８ラインで構成されるＬＣＤパネルで、ＸＧＡモード（１０２４×７６８）、ＳＶＧＡモード（８００×６００）、ＶＧＡモード（６４０×４８０）を、複雑なデータ処理なしに表示することができる。・・・（中略）・・・８はＨＤ４及びＶＤ５を入力し、現在の表示モードがＸＧＡ、ＳＶＧＡ、ＶＧＡのどれに該当するかを判定するモード判別回路であり、例えばＣＰＵ、アプリケーションプログラムを書き込んだＲＯＭ、データを格納するＲＡＭ等を一つのチップに収めた１チップＭＰＵが用いられる。９はモード判別回路８が出力する選択信号、１０はスタートゲートＩＣ選択回路であり、モード判別回路８からの選択信号９にもとづいて、垂直ブランキング後最初にスキャンパルスを出力するゲート駆動ＩＣを選択する。１１はスタートソースＩＣ選択回路であり、モード判別回路８からの選択信号９にもとづいて、第一列目の表示データをスタートするソース駆動ＩＣを選択する。」（第３頁左欄第３７行から右欄第１７行）
（イ）「【００１４】このように構成されたマトリックス液晶表示装置の動作について説明する。  初めに、図４を用いてモード判別回路８の判別動作の一例を説明する。先ずステップ１０１において、判別結果を格納するレジスタＡを０とし、判別結果Ａを初期化する。次にステップ１０２において垂直同期一周期期間中の水平同期信号の数をカウントする。ここで標準的なＸＧＡモードの垂直同期周波数は６０Ｈｚ、水平同期周波数は４８．５ＫＨｚ、ＳＶＧＡモードでは垂直同期周波数は６０Ｈｚ、水平同期周波数は３７．５ＫＨｚ、ＶＧＡモードでは垂直同期周波数は６０Ｈｚ、水平同期周波数は３１．５ＫＨｚである。したがって垂直同期一周期期間中の水平同期信号の数はＸＧＡ：８０８、ＳＶＧＡ：６２５、ＶＧＡ：５２５となる。ここで、各表示モード毎に標準値に所定の想定誤差を勘案し、判定テーブルを予め用意し、設定しておく。
【００１５】 次にステップ１０３で、カウント数がＸＧＡの判定テーブル内か判断する。判定テーブル内であれば真となり、ステップ１０７へ移行し、レジスタＡにＸＧＡを意味する１を入れる。偽であればステップ１０４へ進み、ＳＶＧＡの判定テーブル内か判断する。判定テーブル内であれば真となり、ステップ１０８へ移行し、レジスタＡにＳＶＧＡを意味する２を入れる。偽であればステップ１０５へ進み、ＶＧＡの判定テーブル内か判断する。判定テーブル内であれば真となり、ステップ１０９へ移行し、レジスタＡにＶＧＡを意味する３を入れる。いずれのステップもステップ１０６へ進み、判定結果出力処理に進む。ここではレジスタＡの値により、仮にＡ＝０ならば判定未終了を意味し、出力処理を行わない。Ａ＝１、２、３ならば、図１の選択信号９にそれぞれのレジスタＡの値に基づいた値を出力する。すなわち図２及び図３における９ａ、９ｂ、９ｃの信号として、それぞれＡ＝１の場合は“Ｈ”“Ｌ”“Ｌ”、Ａ＝２の場合は“Ｌ”“Ｈ”“Ｌ”、Ａ＝３の場合は“Ｌ”“Ｌ”“Ｈ”を出力する。」（第４頁左欄第８〜４２行）
（ウ）「【００２３】このようにして、ＸＧＡ、ＳＶＧＡ、ＶＧＡ各モードに応じて、第一行目、第一列目のデータを取り込むゲート駆動ＩＣ及びソース駆動ＩＣを選択することにより、ＸＧＡ（１０２４×７６８）表示装置において、ＳＶＧＡ、ＶＧＡなど低解像度の表示モード信号が入力しても、画面のほぼ中央に表示することができる。」（第５頁右欄第１０〜１５行）
（エ）また、図１には、マトリックス液晶表示装置の概略ブロック図が、図４には、モード判別回路の動作フローチャートが記載されている。
　
　そして、マトリックス液晶表示装置はＶＧＡ，ＳＶＧＡ，ＸＧＡなどの表示モードの信号を表示するものであるから、供給される映像信号を表示する装置であることは明らかである。
　また、上記記載事項（ア）（イ）（ウ）から、モード判別回路８は、垂直同期一周期期間中の水平同期信号の数をカウントしてＸＧＡ，ＳＶＧＡ，ＶＧＡのどのモードに該当するかを判別し、判別結果に応じてスタートゲートＩＣ選択回路１０によりゲート駆動ＩＣ２を、スタートソースＩＣ選択回路１１によりソース駆動ＩＣ３を選択して、画面のほぼ中央に表示すると共に、同期信号が供給されない場合はレジスタＡの値は０のままであるから、同期信号が供給されていない間は、ゲート駆動ＩＣ及びソース駆動ＩＣの選択は行わないものである。
　以上をまとめると、刊行物１には、「供給される映像信号の表示状態を最適調整して表示する映像表示装置（マトリックス液晶表示装置）において、前記映像信号の同期信号が変更された場合には、前記映像信号の表示状態を調整する制御手段（モード判別回路８，スタートゲートＩＣ選択回路１０，スタートソース選択回路１１）と、制御手段の調整結果に応じて、前記映像信号を表示する表示手段（マトリックス表示部１）とを具備し、前記制御手段は、前記同期信号が供給されていない間は、前記映像信号の表示状態の調整は行わないようにした映像表示装置。」（刊行物１記載の発明１）、及び「供給される映像信号の表示状態を調整して表示する映像表示装置（マトリックス液晶表示装置）の表示調整方法において、前記映像信号の同期信号が変更された場合には、前記映像信号の表示状態を調整し、前記同期信号が供給されていない間は、前記映像信号の表示状態の調整を行わないようにした映像表示装置の表示調整方法。」（刊行物１記載の発明２）が記載されていると認められる。
　
（２）刊行物２（特開平１０−３９８３８号公報、甲第２号証）
　刊行物２には、次の記載がある。
（オ）「上記画像変化検出回路１８、表示左位置検出記憶・制御回路１９、表示右位置検出記憶・制御回路２０及び水平同期周期検出・記憶・制御・モード検出回路２５等の各検出回路の精度を高めるためには、計数用パルス信号発生回路２６で、幅は狭く、周期の短いパルスを発生させるようにするべきであるが、計数回路の段数が多くなることやデバイスの性能上の制約、消費電力、コスト面で不利になるので、適当な幅、周期を設定する。この場合の計数用パルスは、サンプリング・クロック発生回路２７で発生させる使用サンプリング・クロックの最高速の１〜１／２倍程度とする。従って、XGAまでを想定した場合、幅・周期共およそ１５から３０nsec程度のパルス列を生成する。」（第５頁右欄第６〜１８行）
（カ）「以上は、通常の使用状態での画像信号及び同期信号から位置情報を得ようとしているが、意図的・積極的に、表示出力装置側のシステムの立ち上がり時期などにサンプリング・クロックの１／２の周波数に相当する画像信号を表示左位置から表示右位置まで連続的に出力し、これを液晶表示装置側で捕捉するようにすれば、初動段階で必要な情報がすべて得られることは明らかである。」（第４頁右欄第４９行から第５頁左欄第６行）
　そして、上記記載事項（オ）によれば、計数用パルスの周期は１５から３０ｎＳであるから、周波数は３３．３〜６６．７ＭＨｚであり、同期信号の周波数よりも少なくとも１０倍以上高い周波数の基準クロック信号を用いて水平同期周期を検出すること、が示唆されていると認められる。
　また、上記記載事項（カ）によれば、電源が投入された場合に、映像表示装置の表示状態の調整を行うことが示唆されていると認められる。
　
（３）刊行物３（特開平９−１１４４４３号公報、甲第３号証）
　刊行物３には、次の記載がある。
（キ）「ＣＰＵ２０の動作クロックの周波数は数十ＭＨｚであり、水平同期信号の周波数は数十ｋＨｚ，垂直同期信号の周波数は数十Ｈｚなので、ソフトウェア処理によって周波数決定部２６の機能を実行し、これらの周波数を十分精度良く測定することが可能である。例えば、ＣＰＵ２０が一定周期でカウントアップを行ない、水平同期信号ＨＳＹＮＣ１のエッジ（例えば立下りエッジ）の間のカウント数を求めるようにすれば、そのカウント数から水平同期信号ＨＣＹＮＣ１の周波数を求めることができる。垂直同期信号ＶＳＹＮＣ１についても同様である。」（第４頁右欄第４３行から第５頁左欄第３行）
（ク）「なお、入力映像信号ＶPCの解像度を決定する際には、水平同期信号と垂直同期信号の周波数のみでなく、それらの期間幅ＨH ，ＨV や、インターレースの有無に基づいて決定するようにしてもよい。・・・（中略）・・・同期信号の周波数のみでなく、それらの期間幅ＨH ，ＨV や、インターレースの有無に基づいて入力同期信号の解像度を決定するようにすれば、解像度を決定する際の誤りを少なくすることができる。」（第５頁左欄第２３〜３３行）
　そして、上記記載事項（キ）によれば、同期信号の周波数より少なくとも１０倍以上高い周波数である基準クロック信号を、同期信号の周期中に計数することにより同期信号の周波数を測定すること、が記載されていると認められる。
　また、上記記載事項（ク）によれば、同期信号のインターレースの有無、即ち、同期信号のうち垂直同期信号の立上り時点又は立下り時点から同期信号のうち水平同期信号の立上り時点又は立下り時点迄の期間長の周期変化の有無により同期信号の種類を検出すること、が記載されていると認められる。
　
（４）刊行物４（特開平１−２００３９１号公報、甲第４号証）
　刊行物４には、ＣＲＴ（表示手段）を縦位置または横位置へ回転可能に構成し、位置変更が行われた場合には横方向の表示桁数を変更するようにした映像表示装置、が記載されていると認められる。
　
（５）刊行物５（特開平７−４４１２５号公報、甲第５号証）
　刊行物５には、映像データ信号と水平・垂直同期信号の相対位置ズレを検出し、ドットクロック数のカウント値、水平表示期間のカウント値を変更することにより、同期信号と映像信号の相対位置を常に映像が表示装置の表示有効エリアに収まるように補正するようにした液晶表示装置、が記載されていると認められる。
  
３−４．対比・判断
　上記「２．訂正の適否についての判断」で示したように訂正により請求項１及び請求項５は削除されたので、訂正後の請求項１〜６（「本件発明１」〜「本件発明６」）が各刊行物記載の発明から容易であるかを検討する。
（１）本件発明１について
　本件発明１と刊行物１記載の発明１とを対比すると、両者は「供給される映像信号の表示状態を最適調整して表示する映像表示装置において、前記映像信号の同期信号が変更された場合には、前記映像信号の表示状態を調整する制御手段と、制御手段の調整結果に応じて、前記映像信号を表示する表示手段とを具備し、前記制御手段は、前記同期信号が供給されていない間は、前記映像信号の表示状態の調整を行わないようにした映像表示装置。」である点では一致するが、刊行物１には、本件発明１の構成要件である、制御手段が「同期信号の変更を、同期信号の周期中に計数される、同期信号の周波数より少なくとも１０倍以上高い周波数である基準クロック信号のパルス数が変化したことにより検出し」、これにより表示状態の調整を開始することは記載も示唆もされていない。
　また、上記刊行物２には、同期信号の周波数よりも少なくとも１０倍以上高い周波数の基準クロック信号を用いて水平同期周期を検出することが示唆されており、上記刊行物３には、同期信号の周波数より少なくとも１０倍以上高い周波数である基準クロック信号を、同期信号の周期中に計数することにより同期信号の周波数を測定することが記載されているが、何れも同期信号の周波数や周期を測定するものであって、同期信号の変更を、同期信号の周期中に計数される基準クロック信号のパルス数が変化したことにより検出するものではない。
　さらに、刊行物４及び刊行物５にも上記「３−３．刊行物記載の発明」にみられるように、本件発明１の構成要件である、「同期信号の変更を、同期信号の周期中に計数される、同期信号の周波数より少なくとも１０倍以上高い周波数である基準クロック信号のパルス数が変化したことにより検出すること」は記載も示唆もされていない。
　したがって、異議申立ての証拠である刊行物１乃至刊行物５にはその何れにも、本件発明１の構成要件である「同期信号の変更を、同期信号の周期中に計数される、同期信号の周波数より少なくとも１０倍以上高い周波数である基準クロック信号のパルス数が変化したことにより検出すること」は記載も示唆もされていないから、刊行物１乃至刊行物５記載の発明をどのように組み合わせても、本件発明１が容易であるとすることはできない。
　
（２）本件発明２について
　本件発明２と刊行物１記載の発明１とを対比すると、両者は「供給される映像信号の表示状態を最適調整して表示する映像表示装置において、前記映像信号の同期信号が変更された場合には、前記映像信号の表示状態を調整する制御手段と、制御手段の調整結果に応じて、前記映像信号を表示する表示手段とを具備し、前記制御手段は、前記同期信号が供給されていない間は、前記映像信号の表示状態の調整を行わないようにした映像表示装置。」である点では一致するが、刊行物１には、本件発明２の構成要件である、制御手段が「同期信号の変更を、前記同期信号のうち垂直同期信号の立上り時点又は立下り時点から、前記同期信号のうち水平同期信号の立上り時点又は立下り時点迄の期間長の周期変化の有無が変化したことにより検出し」、これにより表示状態の調整を開始することは記載も示唆もされていない。
　また、上記刊行物３には、同期信号のインターレースの有無、即ち、同期信号のうち垂直同期信号の立上り時点又は立下り時点から同期信号のうち水平同期信号の立上り時点又は立下り時点迄の期間長の周期変化の有無により同期信号の種類を検出すること、が記載されているが、これは同期信号の種類を検出するものであって、同期信号の変更を、インターレースの有無が変化したことにより検出するものではない。
　さらに、刊行物２及び刊行物４〜５にも上記「３−３．刊行物記載の発明」にみられるように、本件発明２の構成要件である、「同期信号の変更を、前記同期信号のうち垂直同期信号の立上り時点又は立下り時点から、前記同期信号のうち水平同期信号の立上り時点又は立下り時点迄の期間長の周期変化の有無が変化したことにより検出すること」は記載も示唆もされていない。
　したがって、異議申立ての証拠である刊行物１乃至刊行物５にはその何れにも、本件発明２の構成要件である「同期信号の変更を、前記同期信号のうち垂直同期信号の立上り時点又は立下り時点から、前記同期信号のうち水平同期信号の立上り時点又は立下り時点迄の期間長の周期変化の有無が変化したことにより検出すること」は記載も示唆もされていないから、刊行物１乃至刊行物５記載の発明をどのように組み合わせても、本件発明２が容易であるとすることはできない。
　
（３）本件発明３について
　本件発明３と刊行物１記載の発明１とを対比すると、両者は「供給される映像信号の表示状態を最適調整して表示する映像表示装置において、前記映像信号の同期信号が変更された場合には、前記映像信号の表示状態を調整する制御手段と、制御手段の調整結果に応じて、前記映像信号を表示する表示手段とを具備し、前記制御手段は、前記同期信号が供給されていない間は、前記映像信号の表示状態の調整を行わないようにした映像表示装置。」である点では一致するが、刊行物１には、本件発明３の構成要件である、制御手段が「同期信号の変更を、同期信号の立上り時点又は立下り時点から、前記映像信号の表示期間の開始時点又は終了時点迄の期間長が変化したことにより検出し」、これにより表示状態の調整を開始することは記載も示唆もされていない。
　また、上記刊行物５には、映像データ信号と水平・垂直同期信号の相対位置ズレを検出すること、が記載されているが、これは同期信号と映像信号の表示期間までの期間長を検出するものであって、同期信号の変更を、同期信号の立上り時点又は立下り時点から、映像信号の表示期間の開始時点又は終了時点迄の期間長が変化したことにより検出するものではない。
　さらに、刊行物２〜４にも上記「３−３．刊行物記載の発明」にみられるように、本件発明３の構成要件である、「同期信号の変更を、同期信号の立上り時点又は立下り時点から、映像信号の表示期間の開始時点又は終了時点迄の期間長が変化したことにより検出すること」は記載も示唆もされていない。
　したがって、異議申立ての証拠である刊行物１乃至刊行物５にはその何れにも、本件発明３の構成要件である「同期信号の変更を、同期信号の立上り時点又は立下り時点から、映像信号の表示期間の開始時点又は終了時点迄の期間長が変化したことにより検出すること」は記載も示唆もされていないから、刊行物１乃至刊行物５記載の発明をどのように組み合わせても、本件発明３が容易であるとすることはできない。
　
（４）本件発明４乃至本件発明６について
　本件発明４乃至本件発明６は、「映像表示装置」即ち「物の発明」として表された「本件発明１」乃至「本件発明を３」を、それぞれ、単に「映像表示装置の表示調整方法」即ち「方法の発明」として表現したものであるから、前記「（１）本件発明１について」乃至「（３）本件発明３について」で述べたと同様の理由で、本件発明４乃至本件発明６も刊行物１乃至刊行物５記載の発明から容易に発明をすることができたとすることはできない。
　
３−５．むすび
　以上のとおりであるから、特許異議申立ての理由及び証拠によっては請求項１〜６に係る本件特許を取り消すことはできない。
　また、他に本件特許を取り消すべき理由を発見しない。
　よって、結論のとおり決定する。
【異議決定日】
平成１４年３月２０日（２００２．３．２０）
【訂正の要旨】
　訂正の要旨
ア．特許請求の範囲の請求項１を削除する。
イ．特許請求の範囲の請求項２を「
供給される映像信号の表示状態を最適調整して表示する映像表示装置において、
前記映像表示装置の電源が投入された場合，前記映像信号の同期信号が変更された場合，又は前記映像表示装置の筐体の設置位置が変更された場合には、前記映像信号の表示状態の調整を開始する制御手段と、
前記制御手段の調整結果に応じて、前記映像信号を表示する表示手段とを具備し、
前記制御手段は、前記同期信号が供給されていない間は、前記映像信号の表示状態の調整を開始せず、
さらに、
前記同期信号の周期中に計数される、前記同期信号の周波数より少なくとも１０倍以上高い周波数である基準クロック信号のパルス数が変化したことにより検出することを特徴とする映像表示装置。」と訂正し、新たな請求項１とする。
ウ．特許請求の範囲の請求項３を「
供給される映像信号の表示状態を最適調整して表示する映像表示装置において、
前記映像表示装置の電源が投入された場合，前記映像信号の同期信号が変更された場合，又は前記映像表示装置の筐体の設置位置が変更された場合には、前記映像信号の表示状態の調整を開始する制御手段と、
前記制御手段の調整結果に応じて、前記映像信号を表示する表示手段とを具備し、
前記制御手段は、前記同期信号が供給されていない間は、前記映像信号の表示状態の調整を開始せず、
さらに、
前記同期信号のうち垂直同期信号の立上り時点又は立下り時点から、前記同期信号のうち水平同期信号の立上り時点又は立下り時点迄の期間長の周期変化の有無が変化したことにより検出することを特徴とする映像表示装置。」と訂正し、新たな請求項２とする。
エ．特許請求の範囲の請求項４を「
供給される映像信号の表示状態を最適調整して表示する映像表示装置において、
前記映像表示装置の電源が投入された場合，前記映像信号の同期信号が変更された場合，又は前記映像表示装置の筐体の設置位置が変更された場合には、前記映像信号の表示状態の調整を開始する制御手段と、
前記制御手段の調整結果に応じて、前記映像信号を表示する表示手段とを具備し、
前記制御手段は、前記同期信号が供給されていない間は、前記映像信号の表示状態の調整を開始せず、
さらに、
前記同期信号の立上り時点又は立下り時点から、前記映像信号の表示期間の開始時点又は終了時点迄の期間長が変化したことにより検出することを特徴とする映像表示装置。」と訂正し、新たな請求項３とする。
オ．特許請求の範囲の請求項５を削除する。
カ．特許請求の範囲の請求項６を「
供給される映像信号の表示状態を最適調整して表示する映像表示装置の表示調整方法において、
前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
さらに、
前記同期信号の周期中に計数される、前記同期信号の周波数より少なくとも１０倍以上高い周波数である基準クロック信号のパルス数が変化したことにより検出されることを特徴とする映像表示装置の表示調整方法。」と訂正し、新たな請求項４とする。
キ．特許請求の範囲の請求項７を「
供給される映像信号の表示状態を最適調整して表示する映像表示装置の表示調整方法において、
前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
さらに、
前記同期信号のうち垂直同期信号の立上り時点又は立下り時点から、前記同期信号のうち水平同期信号の立上り時点又は立下り時点迄の期間長の周期変化の有無が変化したことにより検出されることを特徴とする映像表示装置の表示調整方法。」と訂正し、新たな請求項５とする。
ク．特許請求の範囲の請求項８を「
供給される映像信号の表示状態を最適調整して表示する映像表示装置の表示調整方法において、
前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
さらに、
前記同期信号の立上り時点又は立下り時点から、前記映像信号の表示期間の開始時点又は終了時点迄の期間長が変化したことにより検出されることを特徴とする映像表示装置の表示調整方法。」と訂正し、新たな請求項６とする。
ケ．発明の詳細な説明の段落【００３７】を次のように訂正する。
「本発明の映像表示装置の特徴は、供給される映像信号（図１のＳｖ）の表示状態を最適調整して表示する映像表示装置（１０２）において、映像表示装置（１０２）の電源が投入された場合，映像信号（Ｓｖ）の同期信号（Ｈｓｙ，Ｖｓｙ）が変更された場合，映像表示装置（１０２）の筐体（１１３）の設置位置が変更された場合には、映像信号（Ｓｖ）の表示状態の調整を開始する制御手段（１０３〜１０９）と、制御手段（１０９）の調整結果に応じて、映像信号（Ｓｖ）を表示する表示手段（１１０〜１１２）とを具備
し、制御手段（１０９）は、同期信号（Ｈｓｙ，Ｖｓｙ）が供給されていない間は、映像信号（Ｓｖ）の表示状態の調整を開始せず、さらに、制御手段（１０３〜１０５，１０９）は、同期信号（Ｈｓｙ，Ｖｓｙ）の変更を、以下により検出する。（１）同期信号（Ｈｓｙ，Ｖｓｙ）の周期中に計数される、同期信号（Ｈｓｙ，Ｖｓｙ）の周波数より少なくとも１０倍以上高い周波数である基準クロック信号（φｈ，φｖ）のパルス数が変化したことにより検出する。（２）同期信号（Ｈｓｙ，Ｖｓｙ）のうち垂直同期信号（Ｖｓｙ）の立上り時点又は立下り時点から、同期信号（Ｈｓｙ，Ｖｓｙ）のうち水平同期信号（Ｈｓｙ）の立上り又は立下り時点迄の期間長の周期変化の有無が変化したことにより検出する。（３）同期信号（Ｈｓｙ，Ｖｓｙ）の立上り時点又は立下り時点から、映像信号（Ｓｖ）の表示期間の開始時点又は終了時点迄の期間長が変化したことにより検出する。」
コ．発明の詳細な説明の段落【００３８】を次のように訂正する。
「本発明の映像表示装置の表示調整方法の特徴は、供給される映像信号（図１のＳｖ）の表示状態を最適調整して表示する映像表示装置（１０２）において、映像表示装置（１０２）の電源が投入された場合，映像信号（Ｓｖ）の同期信号（Ｈｓｙ，Ｖｓｙ）が変更された場合，又は映像表示装置（１０２）の筐体（１１３）の設置位置が変更された場合には、映像信号（Ｓｖ）の表示状態の調整を開始
し、同期信号（Ｈｓｙ，Ｖｓｙ）が供給されていない間は、映像信号（Ｓｖ）の表示状態の調整を開始せず、さらに、同期信号（Ｈｓｙ，Ｖｓｙ）の変更は、以下により検出される。（１）同期信号（Ｈｓｙ，Ｖｓｙ）の周期中に計数される、同期信号（Ｈｓｙ，Ｖｓｙ）の周波数より少なくとも１０倍以上高い周波数である基準クロック信号（φｈ，φｖ）のパルス数が変化したことにより検出される。（２）同期信号（Ｈｓｙ，Ｖｓｙ）のうち垂直同期信号（Ｖｓｙ）の立上り時点又は立下り時点から、同期信号（Ｈｓｙ，Ｖｓｙ）のうち水平同期信号（Ｈｓｙ）の立上り又は立下り時点迄の期間長の周期変化の有無が変化したことにより検出される。（３）同期信号（Ｈｓｙ，Ｖｓｙ）の立上り時点又は立下り時点から、映像信号（Ｓｖ）の表示期間の開始時点又は終了時点迄の期間長が変化したことにより検出される。」
サ．発明の詳細な説明の段落【００８８】を次のように訂正する。
「又、インターレース／ノンインターレースの走査種別や、映像信号の表示開始位置の情報も併せて検出
し、前記同期信号の立上り時点又は立下り時点から、前記映像信号の表示期間の開始時点又は終了時点迄の期間長が変化したことにより、同期信号の変更を検出するので、一層高精度に信号源の接続変更の有無を検出できる。」
（５４）【発明の名称】
映像表示装置及び映像表示装置の表示調整方法
（５７）【特許請求の範囲】
　【請求項１】　
供給される映像信号の表示状態を最適調整して表示する映像表示装置において、
前記映像表示装置の電源が投入された場合，前記映像信号の同期信号が変更された場合，又は前記映像表示装置の筐体の設置位置が変更された場合には、前記映像信号の表示状態の調整を開始する制御手段と、
前記制御手段の調整結果に応じて、前記映像信号を表示する表示手段とを具備し、
前記制御手段は、前記同期信号が供給されていない間は、前記映像信号の表示状態の調整を開始せず、
さらに、前記制御手段は、前記同期信号の変更を、
前記同期信号の周期中に計数される、前記同期信号の周波数より少なくとも１０倍以上高い周波数である基準クロック信号のパルス数が変化したことにより検出することを特徴とする映像表示装置。
　【請求項２】　
供給される映像信号の表示状態を最適調整して表示する映像表示装置において、
前記映像表示装置の電源が投入された場合，前記映像信号の同期信号が変更された場合，又は前記映像表示装置の筐体の設置位置が変更された場合には、前記映像信号の表示状態の調整を開始する制御手段と、
前記制御手段の調整結果に応じて、前記映像信号を表示する表示手段とを具備し、前記制御手段は、前記同期信号が供給されていない間は、前記映像信号の表示状態の調整を開始せず、
さらに、前記制御手段は、前記同期信号の変更を、
前記同期信号のうち垂直同期信号の立上り時点又は立下り時点から、前記同期信号のうち水平同期信号の立上り時点又は立下り時点迄の期間長の周期変化の有無が変化したことにより検出することを特徴とする映像表示装置。
　【請求項３】　
供給される映像信号の表示状態を最適調整して表示する映像表示装置において、
前記映像表示装置の電源が投入された場合，前記映像信号の同期信号が変更された場合，又は前記映像表示装置の筐体の設置位置が変更された場合には、前記映像信号の表示状態の調整を開始する制御手段と、
前記制御手段の調整結果に応じて、前記映像信号を表示する表示手段とを具備し、前記制御手段は、前記同期信号が供給されていない間は、前記映像信号の表示状態の調整を開始せず、
さらに、前記制御手段は、前記同期信号の変更を、
前記同期信号の立上り時点又は立下り時点から、前記映像信号の表示期間の開始時点又は終了時点迄の期間長が変化したことにより検出することを特徴とする映像表示装置。
　【請求項４】　
供給される映像信号の表示状態を最適調整して表示する映像表示装置の表示調整方法において、
前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
さらに、前記同期信号の変更は、
前記同期信号の周期中に計数される、前記同期信号の周波数より少なくとも１０倍以上高い周波数である基準クロック信号のパルス数が変化したことにより検出されることを特徴とする映像表示装置の表示調整方法。
　【請求項５】　
供給される映像信号の表示状態を最適調整して表示する映像表示装置の表示調整方法において、
前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
さらに、前記同期信号の変更は、
前記同期信号のうち垂直同期信号の立上り時点又は立下り時点から、前記同期信号のうち水平同期信号の立上り時点又は立下り時点迄の期間長の周期変化の有無が変化したことにより検出されることを特徴とする映像表示装置の表示調整方法。
　【請求項６】　
供給される映像信号の表示状態を最適調整して表示する映像表示装置の表示調整方法において、
前記映像表示装置の電源が投入された場合，前記映像信号の同期信号が変更された場合，前記映像表示装置の筐体の設置位置が変更された場合には、前記映像信号の表示状態の調整を開始し、前記同期信号が供給されていない間は、前記映像信号の表示状態の調整を開始せず、
さらに、前記同期信号の変更は、
前記同期信号の立上り時点又は立下り時点から、前記映像信号の表示期間の開始時点又は終了時点迄の期間長が変化したことにより検出されることを特徴とする映像表示装置の表示調整方法。
【発明の詳細な説明】
　【０００１】
　【発明の属する技術分野】本発明は、外部の信号源から供給された映像信号を最適状態で表示する、映像表示装置及び映像表示装置の表示調整方法に関する。
　【０００２】
　【従来の技術】従来から、外部の信号源から供給された映像信号を、その映像信号の画面上の走査領域や走査周波数等の各種要素に応じて、表示状態を最適調整して表示するようにした映像表示装置が存在する。
　【０００３】図５は従来例の映像表示装置２のブロック図である。
　【０００４】信号源１ａ，１ｂは、各映像信号Ｓｖと、これら映像信号Ｓｖの各水平，垂直同期信号Ｈｓｙ，Ｖｓｙを出力する。
　【０００５】映像表示装置２は、クロック生成部３と、水平同期周期検出部４と、垂直同期周期検出部５と、姿勢切替スイッチ８と、制御部９と、Ａ／Ｄ変換部１０と、表示調整部１１と、表示部１２とを具備している。
　【０００６】クロック生成部３は、水平同期信号Ｈｓｙ及び垂直同期信号Ｖｓｙの周波数及び位相を測定する為の基準となる、水平，垂直同期信号Ｈｓｙ，Ｖｓｙとそれぞれほぼ等しいか又はそれぞれ数倍程度の周波数である水平，垂直基準クロック信号φｈ，φｖを出力する。
　【０００７】水平同期位相検出部４は、水平基準クロック信号φｈの立上り時点又は立下り時点から水平同期信号Ｈｓｙの立上り時点又は立下り時点迄の位相差を検出し、この位相差に比例した水平位相信号Ｓｐｈを出力する。
　【０００８】垂直同期位相検出部５は、垂直基準クロック信号φｖの立上り時点又は立下り時点から垂直同期信号Ｖｓｙの立上り時点又は立下り時点迄の位相差を検出し、この位相差に比例した垂直位相信号Ｓｐｖを出力する。
　【０００９】姿勢切替スイッチ８は、映像表示装置２の後述する筐体１３の姿勢に応じて、操作者が手動操作で切り替えるスイッチである。
　【００１０】制御部９は、水平，垂直位相信号Ｓｐｈ，Ｓｐｖに応じた最適なサンプリング周波数及び位相，表示形態を指示する、サンプリング制御信号Ｓｃｓ，表示制御信号Ｓｃｄを出力する。
　【００１１】Ａ／Ｄ変換部１０は、サンプリング制御信号Ｓｃｓに応じて内部のサンプリングクロック信号の周波数及び位相を調整し、映像信号ＳｖをＡ／Ｄ変換し出力する。
　【００１２】表示調整部１１は、表示制御信号Ｓｃｄに応じてＡ／Ｄ変換部１０の出力の走査領域，走査周波数等の各種要素を調整し、表示信号Ｓｄｐを出力する。
　【００１３】表示部１２は、表示信号Ｓｄｐを映像として投写表示する。
　【００１４】図６（ａ）は図５の映像表示装置２の水平同期周期検出部４の波形図、図６（ｂ）は図５の映像表示装置２の垂直同期周期検出部５の波形図である。
　【００１５】図６（ａ）のように水平同期位相検出部４では、水平基準クロック信号φｈの立上り時点から、水平同期信号Ｈｓｙの立下り時点までの位相差が検出され、この位相差に比例した水平位相信号Ｓｐｈが出力される。
　【００１６】同様に図６（ｂ）のように垂直同期位相検出部５では、垂直基準クロック信号φｖの立上り時点から、垂直同期信号Ｖｓｙの立下り時点までの位相差が検出され、この位相差に比例した垂直位相信号Ｓｐｖが出力される。
　【００１７】これら水平，垂直基準クロック信号φｈ，φｖの周波数は、水平，垂直同期信号Ｈｓｙ，Ｖｓｙとそれぞれほぼ等しいか又はそれぞれに対して数倍程度の周波数である。
　【００１８】制御部９は、この水平，垂直位相信号Ｓｐｈ，Ｓｐｖに対応して、内部に予め設定されているサンプリング周波数，位相，表示形態のデータを読み出してメモリ９ａへ設定し、これらのデータをサンプリング制御信号Ｓｃｓ，表示制御信号ＳｃｄとしてＡ／Ｄ変換部１０，表示制御部１１へ出力する。
　【００１９】Ａ／Ｄ変換部１０，表示調整部１１で最適状態でサンプリングされ表示調整された映像信号Ｓｖは、表示部１２から投写表示される。
　【００２０】ここで、信号源１ａから信号源１ｂへ接続変更があると、水平，垂直同期位相検出部４，５の出力である水平，垂直位相信号Ｓｐｈ，Ｓｐｖが変化する。
　【００２１】制御部９は、この水平，垂直位相信号Ｓｐｈ，Ｓｐｖに対応して、内部に予め設定されている別のサンプリング周波数，位相，表示形態のデータを読み出してメモリ９ａへ設定し、これらのデータをサンプリング制御信号Ｓｃｓ，表示制御信号ＳｃｄとしてＡ／Ｄ変換部１０，表示制御部１１へ出力し、同様に表示する。
　【００２２】又、図７（ａ）は図５の映像表示装置２の床置き姿勢時の全体斜視図、図７（ｂ）は図７（ａ）の天吊り姿勢時の全体斜視図である。
　【００２３】映像表示装置１２は、筐体１３と、筐体１３前面に設けられた投写レンズ１４と、筐体１３の底面に設けられたゴム足１５とを具備している。
　【００２４】先程の処理とは独立して、図７（ａ），（ｂ）のような筐体１３の設置姿勢に合わせて、操作者が手動操作で姿勢切替スイッチ８を切り替えることにより、制御部９が表示信号Ｓｄｐのスキャン方向及びスキャン開始位置を表示部１２の投写画面上で正反対となるよう表示制御信号Ｓｃｄを出力し、映像の向きを常に正立させている。
　【００２５】このように、従来例の映像表示装置では、特定の判別条件を設けず、映像信号の周波数及び位相の検出結果から、映像信号の種別を直接判別していた。
　【００２６】又、同期信号とほぼ等しいかその数倍程度の基準クロック信号と、同期信号との位相差を検出することにより、映像信号の種別を判別していた。
　【００２７】更に、操作者の手動操作により、設置姿勢に対する映像の表示方向を切り替えていた。
　【００２８】尚、特開平９−２６１５６１号公報には、前記サンプリングクロック周波数及び位相を最適制御する技術が、特開平７−２１９４８６号公報には、映像信号の画面上における表示位置を最適調整する技術がそれぞれ開示されている。
　【００２９】
　【発明が解決しようとする課題】しかしながら、従来の映像表示装置では、次のような問題点があった。
　【００３０】第１点は、映像信号Ｓｖの種別を判別する際に、特定の判別条件を設定せず、水平，垂直位相信号Ｓｐｈ，Ｓｐｖの出力結果をそのまま用いて判別していたので、信号源１ａ，１ｂの電源投入時や、信号源１ａ，１ｂから一時的に水平，垂直同期信号Ｈｓｙ，Ｖｓｙが供給されないような場合には、水平，垂直位相信号Ｓｐｈ，Ｓｐｖが不安定となり、制御部９が異なる信号源１ｂに接続変更されたと誤判別し、不適当なサンプリング制御信号Ｓｃｓや表示制御信号Ｓｃｄが出力されて、投射映像が乱れる問題があった。
　【００３１】第２点は、メモリ９ａに設定されたデータを操作者が手動操作で微調整したような場合、第１点の誤判別が起こるとこの調整されたデータがメモリ９ａから消去されてしまい、操作者は再度手動操作で微調整しなければならない問題があった。
　【００３２】第３点は、信号源１ａから信号源１ｂに接続変更されたことを、水平，垂直同期信号Ｈｓｙ，Ｖｓｙとほぼ等しいか又はその数倍程度の水平，垂直基準クロックφｈ，φｖに対する水平，垂直同期信号Ｈｓｙ，Ｖｓｙの位相差から検出していただけであったので、信号源１ａ，１ｂが近接した同期周波数を持つ場合には、接続変更されたことを十分検出できない問題があった。
　【００３３】第４点は、筐体１３を移動する度に地磁気の影響等により投写映像にコンバージェンスずれが生じるが、このコンバージェンスずれをなくす為の表示状態の再調整指示を操作者が手動操作で付与しなければならず、操作が煩雑な問題があった。
　【００３４】第５点は、筐体１３の設置姿勢を変更する度に、操作者が映像の向きを手動操作で切り替えなければならず、操作が煩雑な問題があった。
　【００３５】ここにおいて本発明の目的は、特定の判別条件下でのみ映像信号の表示状態を自動的に再調整するようにした映像表示装置及び映像表示装置の表示調整方法を提供することにある。
　【００３６】
　【課題を解決するための手段】前記課題を解決する為、本発明は次に列挙する新規な特徴的手法及び手段を採用する。
　【００３７】本発明の映像表示装置の特徴は、供給される映像信号（図１のＳｖ）の表示状態を最適調整して表示する映像表示装置（１０２）において、映像表示装置（１０２）の電源が投入された場合，映像信号（Ｓｖ）の同期信号（Ｈｓｙ，Ｖｓｙ）が変更された場合，映像表示装置（１０２）の筐体（１１３）の設置位置が変更された場合には、映像信号（Ｓｖ）の表示状態の調整を開始する制御手段（１０３〜１０９）と、制御手段（１０９）の調整結果に応じて、映像信号（Ｓｖ）を表示する表示手段（１１０〜１１２）とを具備
し、制御手段（１０９）は、同期信号（Ｈｓｙ，Ｖｓｙ）が供給されていない間は、映像信号（Ｓｖ）の表示状態の調整を開始せず、さらに、制御手段（１０３〜１０５，１０９）は、同期信号（Ｈｓｙ，Ｖｓｙ）の変更を、以下により検出する。▲１▼同期信号（Ｈｓｙ，Ｖｓｙ）の周期中に計数される、同期信号（Ｈｓｙ，Ｖｓｙ）の周波数より少なくとも１０倍以上高い周波数である基準クロック信号（φｈ，φｖ）のパルス数が変化したことにより検出する。▲２▼同期信号（Ｈｓｙ，Ｖｓｙ）のうち垂直同期信号（Ｖｓｙ）の立上り時点又は立下り時点から、同期信号（Ｈｓｙ，Ｖｓｙ）のうち水平同期信号（Ｈｓｙ）の立上り時点又は立下り時点迄の期間長の周期変化の有無が変化したことにより検出する。▲３▼同期信号（Ｈｓｙ，Ｖｓｙ）の立上り時点又は立下り時点から、映像信号（Ｓｖ）の表示期間の開始時点又は終了時点迄の期間長が変化したことにより検出する。
　【００３８】本発明の映像表示装置の表示調整方法の特徴は、供給される映像信号（図１のＳｖ）の表示状態を最適調整して表示する映像表示装置（１０２）において、映像表示装置（１０２）の電源が投入された場合，映像信号（Ｓｖ）の同期信号（Ｈｓｙ，Ｖｓｙ）が変更された場合，又は映像表示装置（１０２）の筐体（１１３）の設置位置が変更された場合には、映像信号（Ｓｖ）の表示状態の調整を開始
し、同期信号（Ｈｓｙ，Ｖｓｙ）が供給されていない間は、映像信号（Ｓｖ）の表示状態の調整を開始せず、さらに、同期信号（Ｈｓｙ，Ｖｓｙ）の変更は、以下により出される。▲１▼同期信号（Ｈｓｙ，Ｖｓｙ）の周期中に計数される、同期信号（Ｈｓｙ，Ｖｓｙ）の周波数より少なくとも１０倍以上高い周波数である基準クロック信号（φｈ，φｖ）のパルス数が変化したことにより検出される。▲２▼同期信号（Ｈｓｙ，Ｖｓｙ）のうち垂直同期信号（Ｖｓｙ）の立上り時点又は立下り時点から、同期信号（Ｈｓｙ，Ｖｓｙ）のうち水平同期信号（Ｈｓｙ）の立上り時点又は立下り時点迄の期間長の周期変化の有無が変化したことにより検出される。▲３▼同期信号（Ｈｓｙ，Ｖｓｙ）の立上り時点又は立下り時点から、映像信号（Ｓｖ）の表示期間の開始時点又は終了時点迄の期間長が変化したことにより検出される。
　【００３９】このような手法及び手段を採用したことにより、本発明の映像表示装置及び映像表示装置の表示調整方法では、特定の判別条件下でのみ映像信号の表示状態を自動的に再調整する。
　【００４０】
　【発明の実施の形態】本発明の実施の形態の映像表示装置を説明する。
　【００４１】図１は本発明の実施の形態の映像表示装置１０２のブロック図である。
　【００４２】信号源１ａ，１ｂは、それぞれ互いに異なる種別の映像信号Ｓｖ及び水平，垂直同期信号Ｈｓｙ，Ｖｓｙを出力する。
　【００４３】ここで映像信号Ｓｖの種別とは、映像信号Ｓｖの水平，垂直同期信号Ｈｓｙ，Ｖｓｙの周波数，インターレース走査の有無，水平，垂直の表示開始位置，表示終了位置、その他この映像信号Ｓｖの表示に関わる特性値の組み合わせを指すものとする。
　【００４４】映像表示装置１０２は、クロック生成部１０３と、水平同期周期検出部１０４と、垂直同期周期検出部１０５と、位相差検出部１０６ａと、表示位置検出部１０６ｂと、移動センサ１０７と、姿勢センサ１０８と、制御部１０９と、Ａ／Ｄ変換部１１０と、表示調整部１１１と、表示部１１２とから構成される。
　【００４５】クロック生成部１０３は、水平，垂直同期信号Ｈｓｙ，Ｖｓｙの各周波数に対してそれぞれ少なくとも１０倍以上の周波数の水平，垂直基準クロック信号φｈ，φｖを生成出力する。
　【００４６】水平同期周期検出部１０４は、信号源１ａ，１ｂから水平同期信号Ｈｓｙが供給され、水平同期信号Ｈｓｙの立下り又は立上り時点から次の立下り又は立上り時点迄の水平基準クロック信号φｈのパルス数を計数し、このパルス数を水平周期信号Ｓｃｈとして出力することにより、水平同期信号Ｈｓｙの周期Ｃｈを検出している。又、水平同期信号Ｈｓｙが供給されていない間は、水平周期信号Ｓｃｈは値＝“０”を出力する。これは例えばカウンタ等を用いて実現でき、水平同期信号Ｈｓｙをリセット端子へ、水平基準クロック信号φｈをクロック端子へ供給しカウンタ端子からこのパルス数を水平周期信号Ｓｃｈとして出力する等して実現される。
　【００４７】垂直同期周期検出部１０５は、信号源１ａ，１ｂから垂直同期信号Ｖｓｙが供給され、垂直同期信号Ｖｓｙの立下り又は立上り時点から次の立下り又は立上り時点迄の垂直基準クロック信号φｖのパルス数を計数し、このパルス数を垂直周期信号Ｓｃｖとして出力することにより、垂直同期信号Ｖｓｙの周期Ｃｖを検出している。又、垂直同期信号Ｖｓｙが供給されていない間は、垂直周期信号Ｓｃｖ＝“０”を出力する。これも水平同期検出部１０４と同様の構成で実現される。
　【００４８】位相差検出部１０６ａは、信号源１ａ，１ｂから水平，垂直同期信号Ｈｓｙ，Ｖｓｙが供給され、垂直同期信号Ｖｓｙの立上り又は立下り時点から水平同期信号Ｈｓｙの立上り又は立下り時点迄の期間長を検出し、この期間長に応じた位相差検出信号Ｓｐを出力する。
　【００４９】表示位置検出部１０６ｂは、水平，垂直同期信号Ｈｓｙ，Ｖｓｙの立上り又は立下り時点から映像信号Ｓｖの表示期間の開始時点迄の期間長を、水平，垂直基準クロック信号φｈ，φｖをそれぞれ計数して検出し、これら期間長に応じた水平表示開始位置信号Ｓｈｓ，垂直表示開始ライン位置信号Ｓｖｓを出力する。
　【００５０】移動センサ１０７は、映像表示装置１０２の筐体１１３に取り付けられて当該筐体１１３の移動の有無を検出するセンサであり、筐体１１３の移動時に加わる衝撃や加速度を検出して移動検出信号Ｓｍを出力する。これは公知の圧電センサ，加速度センサ等が利用できる。
　【００５１】姿勢センサ１０８は、筐体１１３に取り付けられて当該取付面の向きを検出するセンサであり、映像表示装置１０２の姿勢に応じて姿勢検出信号Ｓｐｐを出力する。これは公知の水銀スイッチ等が利用できる。
　【００５２】制御部１０９は、水平，垂直周期信号Ｓｃｈ，Ｓｃｖと、位相差検出信号Ｓｐの周期的変化の有無と、水平表示開始位置信号Ｓｈｓと、垂直表示開始ライン位置信号Ｓｖｓとがそれぞれ示す値の組み合わせに対応するテーブルを、制御部１０９内部に予め設定された図示しない記憶領域から読み出してメモリ１０９ａへ書き込み、このテーブルが示すＡ／Ｄ変換部１１０のサンプリング信号の周波数や位相，表示調整部１１１の走査周波数，走査開始位置等の各種パラメータを、サンプリング制御信号Ｓｃｓ及び表示調整信号Ｓｃｄとして出力する。更に、水平，垂直周期信号Ｓｃｈ，Ｓｃｖと、位相差検出信号Ｓｐの周期的変化の有無と、水平表示開始位置信号Ｓｈｓと，垂直表示開始ライン位置信号Ｓｖｓとがそれぞれ示す値の組み合わせが変化すると、制御部１０９内部に予め設定された図示しない記憶領域から別のテーブルを読み出してメモリ１０９ａへ書き込むことにより、サンプリング制御信号Ｓｃｓ，表示制御信号Ｓｃｄを変更する。
　【００５３】Ａ／Ｄ変換部１１０は、信号源１ａ，１ｂの映像信号Ｓｖをサンプリング制御信号Ｓｃｓに応じたサンプリング周波数及び位相でＡ／Ｄ変換し出力する。
　【００５４】表示調整部１１１は、Ａ／Ｄ変換部１１０の出力信号を、表示調整信号Ｓｃｄに応じて、画面上の走査周波数や走査開始位置等を最適状態に調整し、表示信号Ｓｄｐとして出力する。
　【００５５】表示部１１２は、表示信号Ｓｄｐを画面上に表示する。
　【００５６】次に、水平，垂直同期信号Ｈｓｙ，Ｖｓｙの周期Ｃｈ，Ｃｖ、映像信号のインターレース走査の有無、映像信号Ｓｖの水平表示開始位置，垂直表示開始ラインの検出動作をそれぞれ説明する。
　【００５７】図２（ａ）は図１の映像表示装置１０２の水平同期周期検出部１０４の波形図、図２（ｂ）は図１の映像表示装置１０２の垂直同期周期検出部１０５の波形図である。
　【００５８】水平同期信号Ｈｓｙの周期Ｃｈは次のように検出される。
　【００５９】図２（ａ）のように、水平同期信号Ｈｓｙの立下り時点から次の立下り時点迄の期間内にクロック発生部１０３から供給された、水平同期信号Ｈｓｙの約８００倍の周波数を持つ水平基準クロック信号φｈのパルス数を、水平同期周期検出部１０４で計数し、周期Ｃｈに比例するこのパルス数を水平周期信号Ｓｃｈとして出力して得ている。図２（ａ）ではこのパルス数は８０１パルスであることがわかる。
　【００６０】垂直同期信号Ｖｓｙの周期Ｃｖは次のように検出される。
　【００６１】図２（ｂ）のように、垂直同期信号Ｖｓｙの立下り時点から次の立下り時点迄の期間内にクロック発生部１０３から供給された、垂直同期信号Ｖｓｙの約７００倍の周波数を持つ垂直基準クロック信号φｖのパルス数を、垂直同期周期検出部１０５で計数し、周期Ｃｖに比例するこのパルス数を垂直周期信号Ｓｃｖとして得ている。図２（ｂ）ではこのパルス数は７０１パルスであることがわかる。
　【００６２】映像信号Ｓｖのインターレース走査の有無は次のように検出される。
　【００６３】垂直同期信号Ｖｓｙの立上り又は立下り時点から水平同期信号Ｈｓｙの立上り又は立下り時点迄の期間長を、位相差検出部１０６ａが検出し、この期間長に応じた位相差検出信号Ｓｐが出力され、制御部１０９は、この位相差検出信号が、映像信号Ｓｖの１フレーム毎に交互に変化する場合は映像信号Ｓｖがインターレース走査であると判別し、変化しない場合はノンインターレース走査であると判別する。
　【００６４】映像信号Ｓｖの画面左端からの表示開始位置、即ち水平表示開始位置は次のように検出される。
　【００６５】図２（ａ）のように、水平同期信号Ｈｓｙの立下り時点から映像信号Ｓｖの表示期間の開始時点迄の期間に供給された、水平基準クロック信号φｈのパルス数を、表示位置検出部１０６ｂで計数し、このパルス数を水平表示開始位置信号Ｓｈｓとして得ている。図２（ａ）ではこのパルス数は１０パルスであることがわかる。
　【００６６】映像信号Ｓｖの画面上端からの表示開始位置、即ち垂直表示開始ラインは次のように検出される。
　【００６７】図２（ｂ）のように、垂直同期信号Ｖｓｙの立下り時点から映像信号Ｓｖの表示期間の開始時点迄の期間に供給された、垂直基準クロック信号φｖのパルス数を、表示位置検出部１０６ｂで計数し、このパルス数を垂直表示開始ライン位置信号Ｓｖｓとして得ている。図２（ｂ）ではこのパルス数は１２パルスであることがわかる。
　【００６８】制御部１０９は、以上のそれぞれ検出されたデータ、即ち、（水平周期＝８０１パルス，垂直周期＝７０１パルス，インターレース走査，水平表示開始位置＝画面左端から１０ドット，垂直表示開始ライン＝画面上端から１２ライン）の組み合わせに対応する、制御部１０９内部の図示しない記憶領域に予め設定されたテーブルを読み出してメモリ１０９ａへ書き込む。
　【００６９】このテーブルは、例えば（サンプリング周波数，サンプリング位相，水平走査周波数，垂直走査周波数，水平表示開始位置，垂直表示開始ライン）等の各種パラメータからなる。
　【００７０】このテーブルの各種パラメータは、水平同期信号Ｈｓｙの立下り時点で映像信号Ｓｖが常時サンプリングされるよう、即ち水平同期周波数と同一周波数かつ水平同期信号の立下り時点の位相でサンプリングされるように予め最適に選ばれたサンプリング周波数及び位相の各パラメータや、映像信号Ｓｖが表示部１１３の一定の表示領域内に正しい走査状態で表示されるよう、即ちこの水平表示開始位置，垂直表示開始ラインにより定義される表示領域内で、水平，垂直同期信号Ｈｓｙ，Ｖｓｙに同期して走査されるように予め最適に選ばれた水平，垂直走査周波数，水平表示開始位置，垂直表示開始ラインの各パラメータからなっている。
　【００７１】制御部１０９は、これらサンプリング周波数，サンプリング位相を示すパラメータを、サンプリング制御信号ＳｃｓとしてＡ／Ｄ変換部１１０へ供給する。
　【００７２】Ａ／Ｄ変換部１１０は、このサンプリング制御信号Ｓｃｓが示すサンプリング周波数及び位相の情報に基づいて、水平同期信号Ｈｓｙの立下り時点で映像信号Ｓｖが常時サンプリングされるよう、即ち水平同期周波数と同一周波数かつ水平同期信号の立下り時点の位相でサンプリングされるよう、サンプリングクロック信号の周波数及び位相を調整する。
　【００７３】同様に、制御部１０９は、これら水平走査周波数，垂直走査周波数，水平表示開始位置，垂直表示開始ラインを示すパラメータを表示制御信号Ｓｃｄとして表示調整部１１１へ供給する。
　【００７４】表示調整部１１１は、この表示調整信号Ｓｃｄが示す水平，垂直走査周波数，水平表示開始位置，垂直表示開始ラインの情報に基づいて、映像信号Ｓｖが表示部１１３の一定の表示領域内に正しい走査状態で表示されるよう、即ちこの水平表示開始位置，垂直表示開始ラインにより定義される表示領域内で、水平，垂直同期信号Ｈｓｙ，Ｖｓｙに同期して走査されるよう、映像信号Ｓｖの表示領域及び走査周波数を制御する。
　【００７５】もし、これら検出されたデータの組み合わせに対応するテーブルが制御部１０９内に予め設定されていなければ、制御部１０９内に予め設定されている別の複数のテーブルの各種パラメータから補間演算等により各種パラメータを算出し、メモリ１０９ａへ設定する。
　【００７６】図３は図１の映像表示装置１０２の表示調整方法のフローチャートである。
　【００７７】映像表示装置１０２の電源を投入する（ステップＳ１０１）。
　【００７８】制御部１０９は、水平，垂直同期信号Ｈｓｙ，Ｖｓｙの周期Ｃｈ，Ｃｖと、インターレース走査の有無と、映像信号Ｓｖの水平，垂直の表示開始位置とを検出し、先程の説明のように映像信号Ｓｖの表示調整を実行する（ステップＳ１０２）。
　【００７９】制御部１０９は、映像信号Ｓｖが供給されているか否か判別する（ステップＳ１０３）。供給されていれば次のステップＳ１０４へ進む。供給されていなければステップＳ１０３へ戻り映像信号Ｓｖが供給されるまで待機する。
　【００８０】制御部１０９は、水平，垂直周期信号Ｓｃｈ，Ｓｃｖの変化を検出し、周期Ｃｈ，Ｃｖの変更の有無を判別する（ステップＳ１０４）。変更があった場合はステップＳ１０２へ戻る。
　【００８１】変更がなかった場合は、筐体１１３が移動されたか否かを移動検出信号Ｓｄｍの有無から判別する（ステップＳ１０５）。移動された場合はステップＳ１０２へ戻り再度表示調整する。移動されなかった場合はステップＳ１０３へ戻る。
　【００８２】又、図４（ａ）は図１の映像表示装置１０２の床置き姿勢時の全体斜視図、図４（ｂ）は図４（ａ）の天吊り姿勢時の全体斜視図である。
　【００８３】映像表示装置１０２は、筐体１１３と、筐体１１３前面に取り付けられた投写レンズ１１４と、筐体１１３底面に取り付けられたゴム足１１５とを具備している。
　【００８４】姿勢センサ１０８は、映像表示装置１０２の筐体１１３の姿勢を検出する。一例として、図４（ａ）の床置き姿勢では姿勢検出信号Ｓｐｐ＝“０”を、図４（ｂ）の天吊り姿勢では姿勢検出信号Ｓｐｐ＝“１”を制御部１０９へ出力する。
　【００８５】制御部１０９は、姿勢検出信号Ｓｐｐに応じて、映像信号Ｓｖの表示の向きを前述のフローチャートとは独立して制御する。一例として、姿勢検出信号Ｓｐｐ＝“０”の場合はスキャン方向を画面左上から画面右下へ制御する表示調整信号Ｓｃｄを、姿勢検出信号Ｓｐｐ＝“１”の場合はスキャン方向を画面右下から画面左上へ制御する表示調整信号Ｓｃｄを出力する。
　【００８６】このように、映像信号の表示状態の再調整が必要な場合である、電源が投入された場合と、供給される同期信号が変更された場合と、筐体の設置位置が変更された場合とにのみ、映像信号の表示状態の調整を自動的に開始するようにし、又、映像信号の表示状態の再調整をしてはならない、同期信号が供給されていない間は、前記映像信号の種別の再調整を実行しないようにしているので、映像信号の種別を誤判別することがない。
　【００８７】更に、水平，垂直同期信号を検出する為の基準クロックを大幅に高めたので、信号源の接続変更の有無を高精度で検出できる。
　【００８８】又、インターレース／ノンインターレースの走査種別や、映像信号の表示開始位置の情報も併せて検出
し、前記同期信号の立上り時点又は立下り時点から、前記映像信号の表示期間の開始時点又は終了時点迄の期間長が変化したことにより、同期信号の変更を検出するので
　【００８９】尚、先の実施の形態では、水平同期信号Ｈｓｙ及び垂直同期信号Ｖｓｙがそれぞれ独立して供給されているが、複合同期信号等の他の形態の同期信号であっても、信号源１ａ，１ｂから出力される複合同期信号を公知の同期分離回路等で同期分離処理して得た映像信号Ｓｖ，水平同期信号Ｈｓｙ，垂直同期信号Ｖｓｙを、Ａ／Ｄ変換部１１０，水平同期周期検出部１０４，垂直同期周期検出部１０５へそれぞれ供給すれば同様に処理できる。
　【００９０】又、水平，垂直同期信号Ｈｓｙ，Ｖｓｙに対する映像信号Ｓｖの表示領域の開始時点をそれぞれ示す水平表示開始位置信号Ｓｈｓ，垂直表示開始ライン位置信号Ｓｖｓを出力するようにしたが、これに代えて表示領域の終了時点をそれぞれ示す水平終了位置信号や垂直終了ライン位置信号等とし、同様に判別しても良い。
　【００９１】
　【発明の効果】以上のような手法及び手段を採用したことにより、本発明の映像表示方法及び装置は、次のような効果を発揮する。
　【００９２】第１点は、映像の表示状態の再調整が必要な、電源の投入，同期信号の周波数の変更，筐体の移動の場合を自律的に判断し、それ以外の場合は再調整しないようにしているので、確実に表示調整できる利点がある。
　【００９３】第２点は、同期信号が供給されない場合には、映像信号の種別を再度判別しないようにしているので、操作者の手動操作による表示状態の微調整の結果が不用意に消去されない利点がある。
　【００９４】第３点は、基準クロック信号の周波数を高めたので、同期信号の周波数の検出精度が高まり、映像信号の種別を確実に判別できる利点がある。
　【００９５】第４点は、映像信号のインターレース／ノンインターレースの走査種別や水平，垂直方向の表示位置の情報も併せて検出するので、映像信号の種別の判別精度が一層向上する利点がある。
　【００９６】第５点は、映像表示装置の設置姿勢を変更した場合でも、姿勢に応じて表示映像の向きが自動的に切り替わり、操作者の切替操作が不要であるので、操作性が向上する利点がある。
【図面の簡単な説明】
　【図１】本発明の実施の形態の映像表示装置１０２のブロック図である。
　【図２】（ａ）は図１の映像表示装置１０２の水平同期周期検出部１０４の波形図、（ｂ）は図１の映像表示装置１０２の垂直同期周期検出部１０５の波形図である。
　【図３】図１の映像表示装置１０２の表示調整方法のフローチャートである。
　【図４】（ａ）は図１の映像表示装置１０２の床置き姿勢時の全体斜視図、（ｂ）は（ａ）の天吊り姿勢時の全体斜視図である。
　【図５】従来例の映像表示装置２のブロック図である。
　【図６】（ａ）は図５の映像表示装置２の水平同期周期検出部４の波形図、（ｂ）は図５の映像表示装置２の垂直同期周期検出部５の波形図である。
　【図７】（ａ）は図５の映像表示装置２の床置き姿勢時の全体斜視図、（ｂ）は（ａ）の天吊り姿勢時の全体斜視図である。
　【符号の簡単な説明】
１ａ，１ｂ　　　信号源
２，１０２　　　映像表示装置
３，１０３　　　クロック生成部
４　　　　　　　水平同期位相検出部
１０４　　　　　水平同期周期検出部
５　　　　　　　垂直同期位相検出部
１０５　　　　　垂直同期周期検出部
１０６ａ　　　　位相差検出部
１０６ｂ　　　　表示位置検出部
１０７　　　　　移動センサ
８　　　　　　　姿勢切替スイッチ
１０８　　　　　姿勢センサ
９，１０９　　　制御部
９ａ，１０９ａ　メモリ
１０，１１０　　Ａ／Ｄ変換部
１１，１１１　　表示調整部
１２，１１２　　表示部
１３，１１３　　筐体
１４，１１４　　投写レンズ
１５，１１５　　ゴム足